(57)【特許請求の範囲】
【請求項１】
一端が送風機と連通し、流路にヒーターを有し、他端が吹出口に連通する温風流路と、この温風流路にバイパスされ加湿部を介して設けられる加湿流路とを設けた本体と、前記加湿流路の開閉を行うとともに、開いたときに温風流路の一部を開口し、残りを閉鎖するように設けられるダンパーと、このダンパーを開または閉に切替えるタイミングモーターとを備え、前記ダンパーを、温風送風時は閉位置に、加湿温風送風時は開位置に、加湿送風時は開位置にあってヒーター容量を減少する構成とし、前記ヒーターは２分割した範囲に個別に通電可能な構成とし、一方の分割範囲を前記加湿流路に対応するように配置し、前記加湿送風時は前記加湿流路に対応する分割範囲にのみ通電することを特徴とする加湿機能付温風機。
【請求項２】
加湿部を吹出口近傍の温風流路の下部に連通して設けた請求項１記載の加湿機能付温風機。
【請求項３】
加湿温風および、加湿運転のとき、ダンパーを中立状態に保持し、吹出口に向かい流れる温風流路の空気流により加湿部を介して流れる加湿空気流を誘引せしめる構成とした請求項１記載の加湿機能付温風機。
【請求項４】
加湿部を、水槽を有した加湿トレーと、この加湿トレーの水槽の水を吸い上げるように設けられる加湿フィルターとにより形成し、前記加湿部を本体に着脱自在に設けた請求項１記載の加湿機能付温風機。
【請求項５】
ジグザグ状に形成され、山部が風上側に対向するように配設される加湿フィルターを備え、風上側から流入する空気を前記加湿フィルターの面を通過させたり表面に沿い流して加湿する構成とした請求項１記載の加湿機能付温風機。
【請求項６】
加湿トレーに装着される加湿フィルターを、加湿フィルターの風下側に空気通路を形成するように保持するフィルター押さえと、このフィルター押さえの風上側に加湿流路の底部を覆う形状で、耐熱性を有した遮熱板とを設けた請求項１記載の加湿機能付温風機。
【発明の詳細な説明】
【０００１】
【発明の属する技術分野】
本発明は、温風、加湿温風、加湿の運転をダンパーの切替えにより行うことのできる加湿機能付温風機に関する。
【０００２】
【従来の技術】
近年、温風機等で暖房することにより、室内の湿度が低下し、環境が悪化するのを防止するために温風機の使用時には加湿をする必要があることから、加湿機能付温風機が普及している。
【０００３】
従来、この種の加湿機能付温風機は、特開平２−１５０９９２号公報に記載されたものが知られている。以下、その加湿機能付温風機について図８を参照しながら説明する。
【０００４】
図に示すように、運転するとファン１０１が回転し、室内空気は吸気口１０２から吸引され渦巻ケーシング１０３の吐出側からヒータダクト１０４へ導びかれ、この空気は発熱体１０５を通過することによって加熱される。そして、ダンパー１０６の通路切換操作により上側または下側に通風路が形成される。ここで下側の通風路を通過するようにダンパー１０６を操作すると、加熱空気はヒータダクト１０４内に設けられた水受１０７等の溜水１０８表面に接触し、さらに、ダンパー１０６に付設した吸水フィルター１０９を通過することにより、加湿温風として温風吹出口１１０から室内に吹き出される。また、上側の通風路を通過するようにダンパー１０６を操作するとそのまま温風として温風吹出口１１０から室内に吹き出されるように構成されていた。
【０００５】
【発明が解決しようとする課題】
このような従来の加湿機能付温風機では、ダンパー１０６の切替えにより下側の通風路に発熱体１０５により加熱された温風を流すときには、吸水フィルター１０９を介して加湿し、加湿温風として、ダンパー１０６の切替えにより上側の通風路に温風を流すときは、温風のみが送風されるもので、何れも同一量の温風が送風されることにより、加湿温風時には吸水フィルター１０９が抵抗となり一定量の温風が流れなくなって温風効果が低下するとともに、加湿のみの運転については何ら考慮されていないという課題があり、温風加湿時の温風流量を確保し、温風効果が低下するのを防止できるとともに、加湿のみの運転をヒーターの容量を低減し、消費電力を少なくすることが要求されている。
【０００６】
本発明は、上記課題を解決するもので、加湿温風時の温風効果を高めることができ、加湿運転時の消費電力を低減することのできる加湿機能付温風機を提供することを目的としている。
【０００７】
【課題を解決するための手段】
本発明の加湿機能付温風機は上記目的を達成するために、一端が送風機と連通し、流路にヒーターを有し、他端が吹出口に連通する温風流路と、この温風流路にバイパスされ加湿部を介して設けられる加湿流路とを設けた本体と、前記加湿流路の開閉を行うとともに、開いたときに温風流路の一部を開口し残りを閉鎖するように設けられるダンパーと、このダンパーを開または閉に切替えるタイミングモーターとを備え、前記ダンパーを、温風送風時は閉位置に、加湿温風送風時は開位置に、加湿送風時は開位置にあってヒーター容量を減少する構成としたものである。
【０００８】
本発明によれば、加湿温風時の温風効果を高めることができ、加湿運転時の消費電力を低減することのできる加湿機能付温風機が得られる。
【０００９】
【発明の実施の形態】
本発明は、一端が送風機と連通し、流路にヒーターを有し、他端が吹出口に連通する温風流路と、この温風流路にバイパスされ加湿部を介して設けられる加湿流路とを設けた本体と、前記加湿流路の開閉を行うとともに、開いたときに温風流路の一部を開口し残りを閉鎖するように設けられるダンパーと、このダンパーを開または閉に切替えるタイミングモーターとを備え、前記ダンパーを、温風送風時は閉位置に、加湿温風送風時は開位置に、加湿送風時は開位置にあってヒーター容量を減少する構成としたことにより、加湿温風時には、ヒーターで加熱された温風は加湿流路を通り加湿部で加湿されて吹出口より加湿温風として送風されるとともに、ヒーターで加熱された温風の一部は、開状態のダンパーにより閉鎖されない開口部分を通り温風流路内を流れ吹出口より送風されることとなり、加湿温風に更に温風が加わり加湿温風時の温風効果が高められる。また、加湿時にはヒーターの容量が低下するように制御することにより、消費電力を低減できる加湿を実現することができる。
【００１０】
以下、本発明の実施例について図面を参照しながら説明する。
【００１１】
【実施例】
（実施例１）
図１〜図３に示すように、本体７には一端が送風機１と連通し、流路にヒーター２を有し、他端が吹出口３に連通する温風流路４を設け、温風流路４にバイパスされ加湿部５を介して設けられる加湿流路６とを設けている。
【００１２】
本体７の前面側に設けられる吹出口３の上方には加湿部５の設けられる水槽８に水を供給する水タンク９を設け、加湿流路６の開閉を行うとともに、開いたときには温風流路４の一部に開口１０を設け残りを閉鎖するようにダンパー１１を設けている。ダンパー１１を開または閉に切替えるタイミングモーター１２を設け、タイミングモーター１２にはカム１３およびクランク１４が組み合わされダンパー１１を開または閉に切替えるように形成している。
【００１３】
そしてダンパー１１を、温風送風時は、加湿流路６を閉じる位置に設け、加湿温風送風時はダンパー１１を開位置に切替え、加湿送風時はダンパー１１開位置にあってヒーター２の容量を減少するように設けている。加湿部５を吹出口３近傍の温風流路４の下部に連通して設け、温風加湿および加湿運転のとき、ダンパー１１を開口１０が形成される中立状態に保持し、吹出口３に向かい流れる温風流路４の空気流により加湿部５を介して流れる加湿空気流を誘引せしめるように形成し構成する。
【００１４】
上記構成において、温風送風運転のときには、ダンパー１１をタイミングモーター１２を介して閉位置に切替え、送風機１より送られた空気をヒーター２により加熱し加熱された温風を温風流路４を通して送り吹出口３より吹出して暖房されることとなる。
【００１５】
そして、加湿温風の送風運転のときには、ダンパー１１をタイミングモーター１２を介して開位置に切替え、温風流路４の一部に開口１０を形成し、残りを閉鎖するようにダンパー１１を中立状態に切替え、送風機１より送られた空気をヒーター２により加熱し、加熱された温風を加湿流路６に送り加湿流路６に設けた加湿部５により加湿し吹出口３より加湿された温風が吹出される。
【００１６】
また、ヒーター２により加熱された温風の一部は、ダンパー１１が中立状態にあって温風流路４の一部に開口１０が形成されていることにより、この開口１０を温風が通り温風流路４を経て吹出口３より吹出される。このとき、加湿部５が吹出口３近傍の下部に設けられていることにより、温風流路４を流れる温風により加湿流路６側より加湿温風気流が誘引されて送風されるとともに加湿流路６を流れる加湿温風気流が温風流路４を通ってヒーター２側に逆流することを防止している。
【００１７】
次に、加湿送風運転のときには、ヒーター２の容量を低減した状態で、ダンパー１１をタイミングモーター１２を介して開位置に切替え、温風流路４の一部に開口１０を形成し、残りを閉鎖するようにダンパー１１を中立状態に切替え、送風機１により送られた空気を低容量のヒーター２により低温に加熱し、低温の温風を加湿流路６に送り込み、加湿流路６に設けた加湿部５により加湿され吹出口３より加湿空気が吹出される。
【００１８】
また、ヒーター２により加熱された低温風の一部はダンパー１１が中立状態にあって温風流路４の一部に開口１０が形成されることにより、この開口１０を低温風が通り、温風流路４を経て吹出口３より吹出される。このとき、加湿部５が吹出口３近傍の下部に設けられていることにより温風流路４を流れる低温風により加湿流路６側より加湿気流が誘引されて送風されるとともに、加湿流路６に流れる加湿気流が温風流路４を通ってヒーター２側に逆流することはない。
【００１９】
このように本発明の実施例１の加湿機能付温風機によれば、一端が送風機１と連通し、流路にヒーター２を有し、他端が吹出口３に連通する温風流路４と、この温風流路４にバイパスされ加湿部５を介して設けられる加湿流路６とを設けた本体７と、加湿流路６の開閉を行うとともに、開いたときに温風流路４の一部に開口１０を設け、残りを閉鎖するように設けられるダンパー１１と、このダンパー１１を開または閉に切替えるタイミングモーター１２を備え、ダンパー１１を、温風送風時は閉位置に、加湿温風送風時は開位置に、加湿送風時は開位置にあってヒーター２の容量を減少する構成としたので、加湿温風時には、ヒーター２により加熱された温風は、加湿流路６を通り加湿部５で加湿されて吹出口３より加湿温風として送風されるとともに、ヒーター２で加熱された温風の一部は、開状態のダンパー１１により閉鎖されない開口１０部分を通り温風流路４内を流れ吹出口３より送風されることとなり、加湿温風に更に温風が加わり加湿温風時の温風効果を高めることができ、また、加湿時には、ヒーター２の容量を低下することにより、消費電力を低減して加湿することができる。
【００２０】
また、加湿部５を吹出口３近傍の温風流路４の下部に連通して設けたので、温風送風時に温風流路４に流れる温風の流れによって加湿部５から若干の水分が誘引され、温風送風のみに比較して空気の乾燥度合を緩和することができる温風送風を行うことができる。
【００２１】
また、加湿温風および加湿運転のとき、ダンパーを中立状態に保持し、吹出口に向かい流れる温風流路の空気流により加湿部を介して流れる加湿空気流を誘引せしめる構成としたので、誘引された加湿空気流は、吹出口３側に流れ加湿空気流がヒーター２側に逆流するのが防止でき、加湿空気の接触によるヒーター２の損傷がなくなるとともに、加湿効果が誘引作用によりさらに高められることとなる。
【００２２】
なお、加湿運転時のヒーター２の容量を低減するとき、ヒーター２の長さの約半分位の通電を断ち、残り半分に通電して低容量に形成し、低容量側を加湿流路６側に対応するようにしてヒーター２の容量を低減しても良いことはいうまでもない。
【００２３】
（実施例２）
図４〜図７に示すように、加湿部５Ａを、水槽８を有した加湿トレー１５と、加湿トレー１５の水を吸い上げるように設けられる加湿フィルター１６およびフィルター押さえ１７とにより形成し、加湿部５Ａを本体７Ａに着脱自在に設けている。加湿フィルター１６は、フィルター材をジグザグ状に形成し、山部側が風上側に対向するように配設し、風上側から流入する空気を加湿フィルター１６の面を通過させたり表面に沿い流して加湿するように形成するとともに、加湿トレー１５に装着される加湿フィルター１６を、加湿フィルター１６の風下側に空気通路１８が形成されるように保持するフィルター押さえ１７を設けている。フィルター押さえ１７の風上側に加湿流路６Ａの底部を覆う形状で耐熱性を有し、高温の空気流を加湿フィルター１６に案内する遮熱板１９を設けている。水タンク９から給水される水槽８には水位を一定に保持するとともに、水槽８の水位が一定以下になったときに電源をオフするフロートスイッチ２０を設けている。水槽８の底部には加湿フィルター１６が載置される複数の突起状受部２１を設け水タンク９の前方には水位計２２を設けたフロントカバー２３を設け構成する。
【００２４】
上記構成において、本体７Ａに加湿フィルター１６を設けた加湿トレー１５および水タンク９を装着し、加湿温風運転を行うと、ダンパー１１は開となり温風流路４に開口１０を設け、残りが閉鎖された状態で、送風機１により送られた空気はヒーター２により加熱され、加湿流路６に送られジグザグ状の加湿フィルター１６を所定位置に保持するように設けたフィルター押さえ１７の遮熱板１９上に送られジグザグ状の加湿フィルター１６の山部に向かい送風される。この温風は水槽８の水を吸い上げている加湿フィルター１６の面を貫通して風下側の空気通路１８に送られるとともに、山部に向かい送風された温風は加湿フィルター１６のジグザグの表面に沿い上昇しながら加湿され、空気通路１８より出て来た加湿温風空気は加湿フィルター１６の表面を通り加湿された加湿温風空気と混合して吹出口３より送風される。
【００２５】
また、ヒーター２により加熱された温風の一部は温風流路４に形成された開口１０を通り吹出口３より吹き出されることとなる。
【００２６】
そして、水槽８の清掃および加湿フィルター１６の交換をするときには、加湿フィルター１６および水槽８を設けた加湿トレー１５を本体７Ａより離脱し、フィルター押さえ１７を取り外すことにより加湿フィルター１６を取り外すことができ、水槽８の清掃および加湿フィルター１６の交換を行うことができることとなる。
【００２７】
このように本発明の実施例２の加湿機能付温風機によれば、加湿部５Ａを、水槽８を有した加湿トレー１５と、加湿トレー１５の水槽８の水を吸い上げるように設けられる加湿フィルター１６とにより形成し、加湿部５Ａを本体７Ａに着脱自在に設けたので、加湿フィルター１６に温風を接触させて水槽８の水を気化させると、加湿フィルター１６は徐々にスケールが付着して汚れ、加湿量が低下するので、加湿フィルター１６をときどき手入れ（水洗い）する必要があり、加湿トレー１５を本体７Ａより離脱することにより、水槽８と加湿フィルター１６が取り出され、水槽８および加湿フィルター１６の清掃並びに加湿フィルター１６の交換が容易にできることとなる。
【００２８】
また、ジグザグ状に形成され、山部が風上側に対向するように配設される加湿フィルター１６を備え、風上側から流入する空気を加湿フィルター１６の面を通過させたり、表面に沿い流して加湿するので、加湿フィルター１６と流入する空気との接触度合が高まり加湿変換効率が高められる。
【００２９】
また、加湿トレー１５に装着される加湿フィルター１６を、加湿フィルター１６の風下側に空気通路１８を形成するように保持するフィルター押さえ１７と、フィルター押さえ１７の風上側に加湿流路６の底部を覆う形状で耐熱性を有した遮熱板１９とを設けたので、フィルター押さえ１７により加湿トレー１５に装着される加湿フィルター１６は、所定位置にセットされ、空気流が正確に加湿フィルター１６に接触して加湿効率が高められる。さらにヒーター２により加熱された温風が流れる加湿流路６に設けた加湿フィルター１６の風上側においては温風の熱により温度上昇することとなるが、フィルター押さえ１７に設けた遮熱板１９により加湿流路６を設けた本体７Ａの床面側の温度上昇が緩和され、床面を焼損したり火災を招く恐れがなくなり、加湿流路６を形成する本体７Ａを耐熱性に形成する場合と比較してコストも安くなることとなる。
【００３０】
【発明の効果】
以上の実施例から明らかなように、本発明によれば一端が送風機と連通し、流路にヒーターを有し、他端が吹出口に連通する温風流路と、この温風流路にバイパスされ加湿部を介して設けられる加湿流路とを設けた本体と、前記加湿流路の開閉を行うとともに、開いたときに温風の一部を開口し残りを閉鎖するように設けられるダンパーと、このダンパーを開または閉に切替えるタイミングモーターとを備え、前記ダンパーを、温風送風時は閉位置に、加湿温風送風時には開位置に、加湿送風時は開位置にあって、ヒーター容量を減少する構成としたので、加湿温風時の温風効果を高めることができ、加湿時には消費電力を低減できる効果のある加湿機能付温風機を提供できる。
【００３１】
また、加湿部を吹出口近傍の温風流路の下部に連通して設けたので、温風送風時に加湿部から水分が誘引され、乾燥度合が緩和される。
【００３２】
また、加湿温風および加湿運転のとき、ダンパーを中立状態に保持し、吹出口に向かい流れる温風流路の空気流により加湿部を介して流れる加湿空気流を誘引せしめる構成としたので、加湿効果が高まるとともに、加湿空気流がヒーター２側に逆流するのが防止できる。
【００３３】
また、加湿部を水槽を有した加湿トレーと、この加湿トレーの水槽の水を吸い上げるように設けられる加湿フィルターとにより形成し、前記加湿部を本体に着脱自在に設けたので、水槽と加湿フィルターの清掃を容易に行うことができる。
【００３４】
また、ジグザグ状に形成され、山部が風上側に対応するように配設される加湿フィルターを備え、風上側から流入する空気を前記加湿フィルターの面を通過させたり、表面に沿い流して加湿する構成としたので、加湿変換効率が高まる。
【００３５】
また、加湿トレーに装着される加湿フィルターを、加湿フィルターの風下側に空気通路を形成するように保持するフィルター押さえと、このフィルター押さえの風上側に加湿流路の底部を覆う形状で耐熱性を有した遮熱板とを設けたので、加湿フィルターは所定位置に保持され加湿効率が高められるとともに、本体の床面側の温度上昇が緩和され、熱的損傷を軽減して長寿命化を図ることができる。
【図面の簡単な説明】
【図１】  本発明の実施例１の加湿機能付温風機の断面図
【図２】  同加湿機能付温風機の温風送風時のダンパー位置を示す透視図
【図３】  同加湿機能付温風機の加湿温風時のダンパー位置を示す透視図
【図４】  本発明の実施例２の加湿機能付温風機の外観斜視図
【図５】  同加湿機能付温風機の分解斜視図
【図６】  同加湿機能付温風機の加湿部の分解斜視図
【図７】  同加湿機能付温風機の流路構成を示す断面図
【図８】  従来の加湿機能付温風機の構成を示す断面図
【符号の説明】
１    送風機
２    ヒーター
３    吹出口
４    温風流路
５    加湿部
５Ａ  加湿部
６    加湿流路
７    本体
７Ａ  本体
８    水槽
１０  開口
１１  ダンパー
１２  タイミングモーター
１５  加湿トレー
１６  加湿フィルター
１７  フィルター押さえ
１８  空気通路
１９  遮熱板
【図１】
0004524883.tif 000002
【図２】
0004524883.tif 000003
【図３】
0004524883.tif 000004
【図４】
0004524883.tif 000005
【図５】
0004524883.tif 000006
【図６】
0004524883.tif 000007
【図７】
0004524883.tif 000008
【図８】
0004524883.tif 000009